【手続補正書】
【提出日】平成30年7月31日(2018.7.31)
【手続補正１】
【補正対象書類名】特許請求の範囲
【補正対象項目名】全文
【補正方法】変更
【補正の内容】
【特許請求の範囲】
【請求項１】
プリント信号に基づいて記録材に画像形成を行う画像形成装置であって、
感光体と、
帯電位置で前記感光体を帯電する帯電部材と、
帯電された前記感光体の表面を露光して潜像を形成する第１露光ユニットと、
前記潜像にトナーを付着させて得られるトナー像を被転写体に転写する転写位置を通過した後で前記帯電部材に到着する前の前記感光体の表面を露光する第２露光ユニットと、
前記プリント信号に基づいて前記画像形成を行う際の、前記感光体の前記第２露光ユニットによって露光された部分が最初に前記帯電部材で帯電されるタイミングから、前記第１露光ユニットが前記潜像の形成を開始するタイミングまでの期間を制御する制御ユニットと、
を有し、
前記制御ユニットは、前記感光体の感光層の厚みに関する情報に基づいて、前記期間の長さを変更することを特徴とする画像形成装置。
【請求項２】
前記制御ユニットは、前記感光体の感光層の厚みが薄いほど、前記期間が短くなるように制御することを特徴とする請求項１に記載の画像形成装置。
【請求項３】
前記感光体の感光層の厚みに関する情報とは、画像形成を行った記録材の数、回転体としての前記感光体の回転数、画像形成装置内を通過した記録材の数、前記帯電部材により前記感光体を帯電した時間のうちのいずれかの情報に基づいて取得される情報であることを特徴とする請求項１または２に記載の画像形成装置。
【請求項４】
前記制御ユニットは、更に前記帯電部材の帯電能に関する情報に基づいて前記期間の長さを制御することを特徴とする請求項１〜３のいずれか１項に記載の画像形成装置。
【請求項５】
前記帯電部材は前記帯電位置で前記感光体に接触し、前記帯電能に関する情報は、前記帯電部材の抵抗値と、前記帯電部材に電圧を印加した時間と、前記帯電部材を流れる電流の積算値の少なくともいずれかに基づいて取得されることを特徴とする請求項４に記載の画像形成装置。
【請求項６】
プリント信号に基づいて記録材に画像形成を行う画像形成装置であって、
感光体と、
帯電位置で前記感光体を帯電する帯電部材と、
帯電された前記感光体の表面を露光して潜像を形成する第１露光ユニットと、
前記潜像にトナーを付着させて得られるトナー像を被転写体に転写する転写位置を通過した後で前記帯電位置に到達する前の前記感光体の表面を露光する第２露光ユニットと、
前記プリント信号に基づいて前記画像形成を行う際の、前記感光体の前記第２露光ユニットによって露光された部分が最初に前記帯電部材で帯電されるタイミングから、前記第１露光ユニットが前記潜像の形成を開始するタイミングまでの期間を制御する制御ユニットと、
を有し、
前記制御ユニットは環境情報に基づいて、前記期間の長さを変更することを特徴とする画像形成装置。
【請求項７】
前記制御ユニットは、絶対水分量に基づいて、前記期間の長さを変更することを特徴とする請求項６に記載の画像形成装置。
【請求項８】
温度湿度センサを有し、前記環境情報は前記温度湿度センサにより検知される温度及び湿度に基づいて取得される情報であることを特徴とする請求項６に記載の画像形成装置。
【請求項９】
前記制御ユニットは、更に前記帯電部材の帯電能に関する情報に基づいて前記期間の長さを制御することを特徴とする請求項６〜８のいずれか１項に記載の画像形成装置。
【請求項１０】
前記帯電部材は前記帯電位置で前記感光体に接触し、前記帯電能に関する情報は、前記帯電部材の抵抗値と、前記帯電部材に電圧を印加した時間と、前記帯電部材を流れる電流の積算値の少なくともいずれかに基づいて取得されることを特徴とする請求項９に記載の画像形成装置。
【請求項１１】
前記制御ユニットは、前記感光体の表面のうち、所望の値以上の帯電電流が前記帯電部材に流れた状態で前記帯電部材に帯電された領域よりも、前記感光体の表面移動方向上流側の領域に対して、前記第１露光ユニットが前記潜像の形成のための露光を行うよう、前記期間を制御することを特徴とする請求項１〜１０のいずれか１項に記載の画像形成装置。
【請求項１２】
前記プリント信号に基づいて前記画像形成を行う際、前記帯電部材が前記感光体の帯電を開始するタイミングは、前記第２露光ユニットが露光を開始するタイミングよりも先であることを特徴とする請求項１〜１１のいずれか１項に記載の画像形成装置。
【請求項１３】
前記帯電部材は前記帯電位置で前記感光体に接触し、前記帯電部材が前記感光体を帯電する際、前記帯電部材には直流電圧のみが印加されることを特徴とする請求項１〜１２のいずれか１項に記載の画像形成装置。
【請求項１４】
記録材に転写されるトナー像を担持する感光体と、
帯電位置で前記感光体を帯電させる帯電部材と、
前記帯電部材に電圧を印加する電圧印加部と、
前記帯電部材に流れる電流を検知する電流検知部と、
帯電された前記感光体の表面を露光して潜像を形成する第１露光ユニットと、
前記潜像にトナーを付着させて得られる前記トナー像を被転写体に転写する転写位置を通過した後で前記帯電位置に到達する前の前記感光体の表面を露光する第２露光ユニットと、
前記第１露光ユニットの露光量を調整する調整部と、
を備える画像形成装置において、
前記第２露光ユニットが前記感光体を露光してから画像形成動作が実行される際に、前記帯電部材に流れる電流の電流値が、前記感光体において前記第２露光ユニットにより露光された後に前記帯電部材により帯電された領域が過帯電状態となるのを回避することができる大きさとなるように、前記電流検知部が検知した電流値に基づいて、前記電圧印加部が前記帯電部材に印加する電圧の大きさを調整するとともに、
前記電圧印加部によって調整された大きさの電圧が前記帯電部材に印加されることによって形成される前記感光体の表面電位の絶対値の大きさと、帯電後の前記感光体を前記第１露光ユニットが露光することによって形成される前記感光体の表面電位の絶対値の大きさとの差が、所定の大きさとなるように、前記調整部が前記露光量を調整することを特徴とする画像形成装置。
【請求項１５】
記録材に転写されるトナー像を担持する感光体と、
帯電位置で前記感光体を帯電させる帯電部材と、
前記帯電部材に電圧を印加する電圧印加部と、
前記帯電部材に流れる電流を検知する電流検知部と、
帯電された前記感光体の表面を露光して潜像を形成する第１露光ユニットと、
前記潜像にトナーを付着させて得られる前記トナー像を被転写体に転写する転写位置を通過した後で前記帯電位置に到達する前の前記感光体の表面を露光する第２露光ユニットと、
前記第２露光ユニットの露光量を調整する第２の調整部と、
を備える画像形成装置において、
前記第２露光ユニットが前記感光体を露光してから画像形成動作が実行される際に、前記帯電部材に流れる電流の電流値が、前記感光体において前記第２露光ユニットにより露光された後に前記帯電部材により帯電された領域が過帯電状態となるのを回避することができる大きさとなるように、前記電流検知部が検知した電流値に基づいて、前記第２の調整部が前記露光量を調整することを特徴とする画像形成装置。
【請求項１６】
前記被転写体は、記録材、または、前記感光体から前記トナー像が転写され、転写された前記トナー像を記録材へ転写するための中間転写体であることを特徴とする請求項１〜１５のいずれか１項に記載の画像形成装置。
【手続補正２】
【補正対象書類名】明細書
【補正対象項目名】０００３
【補正方法】変更
【補正の内容】
【０００３】
近年では、帯電装置として接触帯電方式のものを搭載する画像形成装置が増え、帯電装置の主流になっている。この接触帯電方式のほとんどは、接触帯電部材として導電性ローラを用い、この導電性ローラを感光ドラムに接触させて電圧を印加するローラ帯電が用いられている。そして、接触帯電部材に対して、直流電圧のみを印加して感光ドラム表面を帯電する直流方式と、直流電圧に交流電圧を重畳して印加して感光ドラム表面を帯電する交流重畳方式とがある。交流重畳方式によれば、感光ドラム表面を一様に帯電できる利点がある反面、交流電圧の周波数に応じて放電が何度も発生するため、感光ドラム表面にダメージを与え、削れ量が増大し、感光ドラムの寿命が短くなってしまう。これに対して直流方式によれば、交流重畳方式と比較して、微小空隙において発生する放電の回数は少ないため、感光ドラムへのダメージも小さく、感光ドラムの長寿命化を達成する。しかしながら、特に直流方式で感光ドラムを帯電する場合には、以下に示す課題があった。
【手続補正３】
【補正対象書類名】明細書
【補正対象項目名】０００９
【補正方法】変更
【補正の内容】
【０００９】
上記目的を達成するため、本発明の画像形成装置は、
プリント信号に基づいて記録材に画像形成を行う画像形成装置であって、
感光体と、
帯電位置で前記感光体を帯電する帯電部材と、
帯電された前記感光体の表面を露光して潜像を形成する第１露光ユニットと、
前記潜像にトナーを付着させて得られるトナー像を被転写体に転写する転写位置を通過した後で前記帯電部材に到着する前の前記感光体の表面を露光する第２露光ユニットと、
前記プリント信号に基づいて前記画像形成を行う際の、前記感光体の前記第２露光ユニットによって露光された部分が最初に前記帯電部材で帯電されるタイミングから、前記第１露光ユニットが前記潜像の形成を開始するタイミングまでの期間を制御する制御ユニットと、
を有し、
前記制御ユニットは、前記感光体の感光層の厚みに関する情報に基づいて、前記期間の長さを変更することを特徴とする。
また、上記目的を達成するため、本発明の画像形成装置は、
プリント信号に基づいて記録材に画像形成を行う画像形成装置であって、
感光体と、
帯電位置で前記感光体を帯電する帯電部材と、
帯電された前記感光体の表面を露光して潜像を形成する第１露光ユニットと、
前記潜像にトナーを付着させて得られるトナー像を被転写体に転写する転写位置を通過した後で前記帯電位置に到達する前の前記感光体の表面を露光する第２露光ユニットと、
前記プリント信号に基づいて前記画像形成を行う際の、前記感光体の前記第２露光ユニットによって露光された部分が最初に前記帯電部材で帯電されるタイミングから、前記第１露光ユニットが前記潜像の形成を開始するタイミングまでの期間を制御する制御ユニットと、
を有し、
前記制御ユニットは環境情報に基づいて、前記期間の長さを変更することを特徴とする。
また、上記目的を達成するため、本発明の画像形成装置は、
記録材に転写されるトナー像を担持する感光体と、
帯電位置で前記感光体を帯電させる帯電部材と、
前記帯電部材に電圧を印加する電圧印加部と、
前記帯電部材に流れる電流を検知する電流検知部と、
帯電された前記感光体の表面を露光して潜像を形成する第１露光ユニットと、
前記潜像にトナーを付着させて得られる前記トナー像を被転写体に転写する転写位置を通過した後で前記帯電位置に到達する前の前記感光体の表面を露光する第２露光ユニットと、
前記第１露光ユニットの露光量を調整する調整部と、
を備える画像形成装置において、
前記第２露光ユニットが前記感光体を露光してから画像形成動作が実行される際に、前記帯電部材に流れる電流の電流値が、前記感光体において前記第２露光ユニットにより露光された後に前記帯電部材により帯電された領域が過帯電状態となるのを回避することができる大きさとなるように、前記電流検知部が検知した電流値に基づいて、前記電圧印加
部が前記帯電部材に印加する電圧の大きさを調整するとともに、
前記電圧印加部によって調整された大きさの電圧が前記帯電部材に印加されることによって形成される前記感光体の表面電位の絶対値の大きさと、帯電後の前記感光体を前記第１露光ユニットが露光することによって形成される前記感光体の表面電位の絶対値の大きさとの差が、所定の大きさとなるように、前記調整部が前記露光量を調整することを特徴とする。
さらに、上記目的を達成するため、本発明の画像形成装置は、
記録材に転写されるトナー像を担持する感光体と、
帯電位置で前記感光体を帯電させる帯電部材と、
前記帯電部材に電圧を印加する電圧印加部と、
前記帯電部材に流れる電流を検知する電流検知部と、
帯電された前記感光体の表面を露光して潜像を形成する第１露光ユニットと、
前記潜像にトナーを付着させて得られる前記トナー像を被転写体に転写する転写位置を通過した後で前記帯電位置に到達する前の前記感光体の表面を露光する第２露光ユニットと、
前記第２露光ユニットの露光量を調整する第２の調整部と、
を備える画像形成装置において、
前記第２露光ユニットが前記感光体を露光してから画像形成動作が実行される際に、前記帯電部材に流れる電流の電流値が、前記感光体において前記第２露光ユニットにより露光された後に前記帯電部材により帯電された領域が過帯電状態となるのを回避することができる大きさとなるように、前記電流検知部が検知した電流値に基づいて、前記第２の調整部が前記露光量を調整することを特徴とする。
【手続補正４】
【補正対象書類名】明細書
【補正対象項目名】００１４
【補正方法】変更
【補正の内容】
【００１４】
画像形成装置Ａは、パーソナルコンピュータなどのホスト１４に接続されて用いられる。コントローラ部３１において、ホスト１４からのプリント要求信号並びに画像データを処理し、露光手段であるスキャナ３を制御することで、感光ドラム１上に静電潜像（静電像）を形成する。つまり、画像形成装置Ａは、像担持体（回転体）として、図中矢印Ｒ１方向に回転駆動される円筒状の感光ドラム１を有している。本実施例において、感光ドラム１は、円筒状の基体であるアルミシリンダの周囲に感光層（電子写真感光体）として膜厚２４μｍのＯＰＣ層が塗工されたものである。この感光ドラム１の良好な画質を維持できる最低感光体膜厚は９μｍであり、その時点で感光体寿命となる。